(57)【要約】【課題】複数箇所を監視するための順次切替Ｎｘ１ ＳＷが故障した時に、光伝送装置がサイレントアラーム状態に陥らないようにＮｘ１ ＳＷの故障検出方法を提供する。【解決手段】Ｎｘ１ ＳＷ１００の何れの入力１ポートにシステム光の波長帯と異なった波長の光λｋ（監視光λｋ）を挿入して、出力ポートＰｏｕｔから光Ｆｉｌｔｅｒ１０９を用いて、監視光λｋのみを抽出し、監視光検出部１０３から監視光λｋ有無の検出結果および、Ｎｘ１ ＳＷ切替制御部１０１からＮｘ１ ＳＷ１００の入力ポート選択番号に基付き、Ｎｘ１ ＳＷ１００の動作故障を検出することができる。【選択図】図３
2012227838.tif 000002
【特許請求の範囲】
【請求項１】
波長多重信号を波長分離する波長分離器と、複数の光信号を多重して波長多重信号を生成する波長多重器と、前記複数の光信号の光強度を調整する複数の可変減衰器と、光強度を調整された光信号の一部を分岐する複数の光カプラと、前記光カプラからの分岐光の光強度をモニタするモニタ部と、前記モニタ部からの前記光強度に基づいて前記複数の可変減衰器を制御する可変減衰器制御部と、からなる光伝送装置において、
前記モニタ部は、前記光信号とは特性の異なる監視光を送出する光送信器と、前記分岐光と前記監視光とを入力とし、一つを出力として選択するスイッチと、このスイッチを制御するスイッチ制御部と、前記スイッチの出力をモニタする光受信器と、前記スイッチ制御部の制御と前記光受信器からの出力とに基づいて、前記スイッチの正常性を判断する判定部とから構成されていることを特徴とする光伝送装置。
【請求項２】
請求項１に記載の光伝送装置であって、
前記監視光は、前記分岐光の一つに波長多重することを特徴とする光伝送装置。
【請求項３】
請求項１または請求項２に記載の光伝送装置であって、
前記特性は、波長の違いであることを特徴とする光伝送装置。
【請求項４】
請求項１に記載の光伝送装置であって、
前記特性は、光強度の違いであることを特徴とする光伝送装置。
【請求項５】
請求項１に記載の光伝送装置であって、
前記光受信器は、前記監視光用と前記分岐光用との２装置であることを特徴とする光伝送装置。
【請求項６】
請求項１に記載の光伝送装置であって、
前記判定部は、前記監視光を受信すべきタイミングで、前記監視光を受信しないとき前記スイッチの異常を判定することを特徴とする光伝送装置。
【請求項７】
請求項１に記載の光伝送装置であって、
前記判定部は、前記監視光を受信しないタイミングで、前記監視光を受信したとき前記スイッチの異常を判定することを特徴とする光伝送装置。
【発明の詳細な説明】
【技術分野】
【０００１】
本発明は、光伝送装置に係り、特に光パワーモニタ部における監視箇所の切替用の光スイッチ（光ＳＷ）の故障を検出する光伝送装置に関する。
【背景技術】
【０００２】
図１を参照して、本発明を適用する光波長多重通信ネットワークの構成を説明する。図１において、４つのノード１１−１〜１１−４は、光ファイバで接続され、リングネットワークを形成している。各ノード１１は、支線を分岐して、下流サブネットワークのＣｌｉｅｎｔ Ｎｅｔｗｏｒｋ１４に接続している。ノード１１は、ＤＥＭＵＸ１５と、ＭＵＸ１６と、Ｃｌｉｅｎｔ Ｉｎｔｅｒｆａｃｅ１３とから構成される。ＤＥＭＵＸ１５は、波長多重光信号を波長分離する。ＭＵＸ１６は、波長多重により波長多重光信号を形成する。Ｃｌｉｅｎｔ Ｉｎｔｅｒｆａｃｅ１３は、Ｃｌｉｅｎｔ Ｎｅｔｗｏｒｋ１４とのインタフェースである。
【０００３】
図２を参照して、本発明を適用するノードの構成を説明する。図２において、ノード１１は、さらに、装置制御部１２と、ｎ台のＶＯＡ（Variable Optical Attenuator）１７と、ｎ台のＯＣ（Optical Coupler）１８と、ＶＯＡ制御部２５と、モニタ部２１とを含む。
【０００４】
装置制御部１２は、ノード全体の制御部である。ＤＥＭＵＸ１５は、光波長多重信号の分波部である。ＭＵＸ１６は、光波長信号λ１〜λｎの合波部である。ＶＯＡ１７は、光信号レベルの調整部である。ＯＣ１８は、光信号の分岐部である。モニタ部２１は、光信号レベルの監視部である。ＶＯＡ制御部２５は、ＶＯＡ１７の制御部である。Ｃｌｉｅｎｔ Ｉｎｔｅｒｆａｃｅ１３は、サブネットワークとの接続部である。
【０００５】
光波長多重通信ネットワークは、光波長信号λ１〜λｎ間のレベル偏差が小さいほど、光伝送品質が向上する。このため、ノード１１は、ＭＵＸ１６で各光波長信号λ１〜λｎを合波する前に、各光波長信号λ１〜λｎに対して、ＶＯＡ１７−１〜１７−ｎを用いて、所定のレベルに調整する。この光波長信号レベルの調整手順について、以下説明する。
【０００６】
ＯＣ１８−１〜１８−ｎで分岐された光波長信号が、モニタ部２１の入力となる。モニタ部２１で変換された光波長信号のレベル情報は、ＶＯＡ制御部２５の入力となる。ＶＯＡ制御部２５は、光波長信号のレベル情報に基づき、各ＶＯＡ１７−１〜１７−ｎに対して光波長信号レベルの調整量を設定し、光波長信号λ１〜λｎのレベルを調整する。
【０００７】
モニタ部を実現する技術として、特許文献１がある。この公報の第１図には、装置構成が記載されている。この構成では、ＴＡＰ１１−１〜１１−ｎで分岐された片方の各光波長信号に対して、モニタ部に各光波長信号レベルを監視する複数のＰＤ（Photo Diode）が実装されている。この構成は、光波長数の増加に比例して、ＰＤ数も増加することになり、結果的に装置の実装面積の増加、消費電量の増加および、コストの増加となる。
【０００８】
上記課題の解決手法として、特許文献２がある。この公報の第１図に装置構成で記載されている。特許文献２の構成は、特許文献１の課題を解決するために、モニタ部には、スプリッタで分岐された片方の各光波長信号を選択できるように、入力Ｎ対１出力のＮｘ１光スイッチ（Ｎｘ１ ＳＷ）２を用いる。そして、光スイッチ２の出力側に対して、１台の光センサ３で全ての光波長信号レベルを順次に監視することが可能になる。したがって、光波長数が増加しても、光波長信号レベルを監視する光センサ３が増加しない構成となっている。
【先行技術文献】
【特許文献】
【０００９】
【特許文献１】特開２００３−１６３６４１号公報
【特許文献２】特開２００３−３４８０１８号公報
【発明の概要】
【発明が解決しようとする課題】
【００１０】
しかし、上述した特許文献２は、切替監視用のＮｘ１ ＳＷ２の故障検出機構が実装されていないため、Ｎｘ１ ＳＷ２が故障発生してもシステムが検出できない装置のサイレントアラーム状態に陥る。
【００１１】
Ｎｘ１ ＳＷが故障した時にシステムが検出できない場合の問題は、以下の２点である。
（１）モニタ部で光レベルを監視している光波長信号と、システムが制御しようとしている光波長信号が異なるため、光レベルを監視している光波長信号の光レベルが低く、システムが制御しようとしている光波長信号の光レベルが高い場合、誤った調整量をＶＯＡに設定するため、下流ノードに高い光パワーを出力し、下流の受信機を破壊する虞がある。
（２）モニタ部で光レベルを監視している光波長信号と、システムが制御しようとしている光波長信号が異なるため、光レベルを監視している光波長信号の光レベルが高く、システムが制御しようとしている光波長信号の光レベルが低い場合、誤った調整量をＶＯＡに設定するため、システムが制御しようとしている光波長信号を遮断する虞がある。
【００１２】
本発明は、複数箇所を監視するための順次切替Ｎｘ１ ＳＷが故障したときに、サイレントアラーム状態に陥らない光伝送装置を提供する。
【課題を解決するための手段】
【００１３】
上記の課題を解決するために、Ｎｘ１ ＳＷの何れの入力１ポートにシステム光の波長帯と異なった波長の光λｋ（監視光λｋ）を挿入して、出力ポートＰｏｕｔから光Ｆｉｌｔｅｒを用いて、監視光λｋのみを抽出し、監視光検出部から監視光λｋ有無の検出結果および、Ｎｘ１ ＳＷ切替制御部からＮｘ１ ＳＷの入力ポート選択番号に基付き、Ｎｘ１ ＳＷの動作故障を検出する。
【００１４】
上述した課題は、波長多重信号を波長分離する波長分離器と、複数の光信号を多重して波長多重信号を生成する波長多重器と、複数の光信号の光強度を調整する複数の可変減衰器と、光強度を調整された光信号の一部を分岐する複数の光カプラと、光カプラからの分岐光の光強度をモニタするモニタ部と、モニタ部からの光強度に基づいて複数の可変減衰器を制御する可変減衰器制御部と、からなる光伝送装置において、モニタ部は、光信号とは特性の異なる監視光を送出する光送信器と、分岐光と監視光とを入力とし、一つを出力として選択するスイッチと、このスイッチを制御するスイッチ制御部と、スイッチの出力をモニタする光受信器と、スイッチ制御部の制御と光受信器からの出力とに基づいて、スイッチの正常性を判断する判定部とから構成されている光伝送装置により、達成できる。
【発明の効果】
【００１５】
本発明の構成によれば、複数箇所を監視するための順次切替Ｎｘ１ ＳＷが故障したときに、Ｎｘ１ ＳＷの故障を検出でき、システムにＮｘ１ ＳＷが故障であることを通知できるため、光伝送装置がサイレントアラーム状態に陥らない。
【図面の簡単な説明】
【００１６】
【図１】光ネットワークのブロック図である。
【図２】光伝送装置のブロック図である。
【図３】光伝送装置の詳細ブロック図である。
【図４】Ｎｘ１ ＳＷ切替制御部の処理を説明するフローチャートである。
【図５】Ｎｘ１ ＳＷの入力ポートの選択順を説明するフローである。
【図６】Ｎｘ１ ＳＷ正常性判定部の処理を説明するフローチャートである。
【図７】Ｎｘ１ ＳＷの正常性の判定基準を説明する表である。
【図８】光伝送装置の詳細ブロック図である。
【図９】ＶＯＡ制御部の処理を説明するフローチャートである。
【図１０】光伝送装置の詳細ブロック図である。
【図１１】監視光検出有無判定を説明する図である。
【図１２】光伝送装置の詳細ブロック図である。
【発明を実施するための形態】
【００１７】
以下、本発明の実施の形態について、実施例を用い図面を参照しながら、詳細に説明する。なお、実質同一部位には、同じ参照番号を振り説明は繰り返さない。
【実施例１】
【００１８】
図３ないし図７を参照して、実施例１を説明する。図３において、モニタ部２１は、Ｎ×１ ＳＷ１００と、ＬＤ（Laser Diode：監視光）１０５と、Ｎ×１ ＳＷ切替制御部１０１と、Ｎ×１ ＳＷ正常性判定部１０２と、監視光検出部１０３と、ＰＤ（システム光）１０４と、ＰＤ（監視光）１０６と、ＯＣ１０７と、ＯＣ１０８と、Ｆｉｌｔｅｒ１０９と、Ｆｉｌｔｅｒ１１０とから構成される。
【００１９】
ＯＣ１０７は、光波長信号λｎのモニタ光にＬＤ（監視光）１０５からの波長λｋの監視光を合波する。ＯＣ１０８は、Ｎ×１ ＳＷ１００が選択したモニタ光の一部を分岐してＦｉｌｔｅｒ１０９に向けて送出する。Ｆｉｌｔｅｒ１０９は、λｋ以外の光波長をブロックして、ＰＤ（監視光）１０６に送出する。
【００２０】
ＯＣ１０８の他の出力は、Ｆｉｌｔｅｒ１１０でλｋをブロックして、モニタ光をＰＤ（システム光）１０４に送出する。ＰＤ（監視光）１０６は、監視光の受信レベルを電流値に変換する。ＰＤ（システム光）１０４は、システム光の受信レベルを電流値に変換する。
【００２１】
監視光検出部１０３は、ＰＤ（監視光）１０６の出力に基づいて、監視光を受信しているか判定する。Ｎ×１ ＳＷ正常性判定部１０２は、監視光検出部１０３の出力とＮ×１ ＳＷ切替制御部１０１の入力ポート選択番号に基づいて、Ｎ×１ ＳＷ１００の正常性を判定する。
【００２２】
図３において、光波長信号λ１〜λｎは、ＯＣ１８−１〜１８−ｎにより、主光信号ｓｉｇ１〜ｓｉｇｎとモニタ用の光信号ｍｏｎ１〜ｍｏｎｎに分岐される。モニタ用の光信号ｍｏｎ１〜ｍｏｎｎは、モニタ部２１のＮｘ１ ＳＷ１００に入力される。Ｎｘ１ ＳＷ１００は、Ｎｘ１ ＳＷ切替制御部１０１の設定により、入力されたモニタ用の光信号ｍｏｎ１〜ｍｏｎｎを順次に選択して、出力ポートＰｏｕｔに出力する。出力されたモニタ用の光信号は、ＰＤ（システム）１０４により、光信号から電気信号に変換され、モニタ情報として、ＶＯＡ制御部２５に出力される。ＶＯＡ制御部２５は、モニタ情報に基づき、各ＶＯＡ１７−１〜１７−ｎを制御し、各光波長信号λ１〜λｎのレベルを調整する。なお、光波長信号λｎのモニタ光には、ＯＣ１０７が挿入されているので、挿入損失が考えられる。ＶＯＡ制御部２５は、この挿入損失を補償して、ＶＯＡ１７−ｎを制御する。この結果、ＯＣ１０７の挿入損失は、ＭＵＸ１６の受信レベルに影響を与えない。
【００２３】
なお、実施例１の構成は、Ｎｘ１ ＳＷ１００の故障を検出するために、Ｎｘ１ ＳＷ１００の何れの入力ポートＰ１〜Ｐｎに監視光λｋを挿入している。そのため、出力ポートＰｏｕｔには、監視光λｋを遮断するための光Ｆｉｌｔｅｒ１１０をシステムＰＤ１０４の前段に設ける必要がある。
【００２４】
実施例１におけるモニタ部２１のＮｘ１ ＳＷ切替制御部１０１の動作について、図４および図５を参照して説明する。
図４において、モニタ部２１の装置起動直後、Ｎｘ１ ＳＷ切替制御部１０１は、Ｎｘ１ ＳＷ１００の入力ポート選択番号を初期化して、パラメータｉに１をセットする（Ｓ１００）。Ｎｘ１ ＳＷ切替制御部１０１は、初期化された入力ポート選択番号をＮｘ１ ＳＷ１００に設定する（Ｓ１０１）。Ｎｘ１ ＳＷ切替制御部１０１は、初期化された入力ポート選択番号をＮｘ１ ＳＷ正常性判定部１０２およびＶＯＡ制御部２５へ通知する（Ｓ１０２）。次にＮｘ１ ＳＷ切替制御部１０１は、現在の入力ポート選択番号をインクリメントする（Ｓ１０３）。Ｎｘ１ ＳＷ切替制御部１０１は、インクリメント後の入力ポート選択番号をＮｘ１ ＳＷ１００に設定する（Ｓ１０４）。Ｎｘ１ ＳＷ正常性判定部１０２およびＶＯＡ制御部２５へ通知する（Ｓ１０５）。次にＮｘ１ ＳＷ切替制御部１０１は、現在の入力ポート選択番号が最大ポートか判定する（Ｓ１０６）。ＹＥＳのとき、Ｎｘ１ ＳＷ切替制御部１０１は、ステップ１００に遷移する。ステップ１０６で、現在の入力ポート選択番号が最大入力ポート番号以下の場合（ＮＯ）、Ｎｘ１ ＳＷ切替制御部１０１は、ステップ１０３に遷移する。
【００２５】
図５を参照して、Ｎｘ１ ＳＷ切替制御部１０１の動作をポート番号で説明する。Ｎｘ１ ＳＷ１００の入力ポートの選択順は、入力ポートＰ１から最大入力ポートＰｎまで順次切替し、最大入力ポート＃ｎが選択された後、入力ポート＃１に戻り、再度繰り返す。
【００２６】
図６を参照して、Ｎｘ１ ＳＷ正常性判定部１０２の動作フローを説明する。図６において、Ｎｘ１ ＳＷ正常性判定部１０２は、Ｎｘ１ ＳＷ切替制御部１０１から入力ポート選択番号を収得する（Ｓ２００）。Ｎｘ１ ＳＷ正常性判定部１０２は、監視光検出部１０３から監視光検出結果を収得する（Ｓ２０１）。Ｎｘ１ ＳＷ正常性判定部１０２は、入力ポートが特定ポートか判定する（Ｓ２０２）。ＹＥＳのとき、Ｎｘ１ ＳＷ正常性判定部１０２は、監視光検出ありか判定する（Ｓ２０４）。ＹＥＳのとき、Ｎｘ１ ＳＷ正常性判定部１０２は、ステップ２００に遷移する。
【００２７】
ステップ２０４でＮＯのとき、Ｎｘ１ ＳＷ正常性判定部１０２は、Ｎｘ１ ＳＷ動作異常と判定する。ステップ２０２でＮＯのとき、Ｎｘ１ ＳＷ正常性判定部１０２は、監視光ありか判定する（Ｓ２０３）。ＹＥＳのとき、Ｎｘ１ ＳＷ正常性判定部１０２は、ステップ２０５に遷移する。ステップ２０３でＮＯのとき、Ｎｘ１ ＳＷ正常性判定部１０２は、ステップ２００に遷移する。
【００２８】
図７を参照して、上記Ｎｘ１ ＳＷ正常性判定部１０２の動作におけるＮｘ１ ＳＷ１００の正常性判定基準を説明する表を説明する。図７において、横方向に監視光検出有無の判定結果、縦方向に入力ポート番号の判定結果を記載する。特定入力ポートでないとき、監視光を検出しないのが正常である。逆に、特定入力ポートでないにもか関わらず、監視光を検出したとき、異常である。
特定入力ポートであるとき、監視光を検出するのが正常である。逆に、特定入力ポートであるにも関わらず、監視光を検出しないのは、異常である。
【００２９】
実施例１の光伝送装置によれば、複数箇所を監視するための順次切替Ｎｘ１ ＳＷが故障した場合、確実・高速に故障を検出できるため、光伝送装置はサイレントアラーム状態に陥らない。また、既存のＮｘ１ ＳＷに新規追加入力ポート等が必要としないため、既存装置の変更量が小さい。
【実施例２】
【００３０】
実施例２は、監視光λｋを挿入するためにＮｘ１ ＳＷに専用入力ポートを使用する光伝送装置を説明する。
図８を参照して、実施例２における光伝送装置を説明する。なお、図３に示された同一の符号を付された構成と、同一の機能を有する部分については、説明を省略する。図８において、モニタ部２１Ａにおける監視光λｋは、Ｎｘ１ ＳＷ１００の入力１ポートを専用として使用する。実施例１の構成のように監視光λｋがシステムのモニタ用の光信号の入力ポートを併用することではなく、監視光λｋのみの専用入力ポートとして使用する。
【００３１】
監視光λｋが専用入力ポートを使用することにより、Ｎｘ１ ＳＷ１００の入力ポートの併用ためのＯＣ１０７が必要ない。また、監視光λｋがシステムのモニタ用の光信号と完全に分離されることができるため、ＰＤ（システム）１０４の前段に実装される監視光遮断用光Ｆｉｌｔｅｒ１１０も必要ない。
【００３２】
Ｎｘ１ ＳＷ切替制御部１０１、Ｎｘ１ ＳＷ正常性判定部１０２の動作については、実施例１と同様のため、説明を省略する。
監視光λｋが専用の入力ポートを使用することにより、Ｎｘ１ ＳＷ１００の出力ポートＰｏｕｔからの光信号の出力順次が、実施例１と異なるため、ＶＯＡ制御部２５の動作が実施例１と異なる。以下は、実施例２のＶＯＡ制御部２５の動作について、説明する。
【００３３】
監視光λｋが専用の入力ポート（特定入力ポート）を使用するため、Ｎｘ１ ＳＷ１００が特定入力ポートを選択したとき、出力ポートＰｏｕｔから出力される光信号は、システムのモニタ用の光信号ではなく、監視光λｋである。そのためＶＯＡ制御部２５が、監視光のモニタ情報を用いてＶＯＡ１７を制御してはならない。
【００３４】
図９を参照して、ＶＯＡ制御部２５の制御を説明する。図９において、ＶＯＡ制御部２５は、Ｎｘ１ ＳＷ切替制御部１０１から入力ポート選択番号を収得する（Ｓ３００）。ＶＯＡ制御部２５は、入力ポート選択番号が特定ポートかを判定する（Ｓ３０１）。ＹＥＳのとき、ＶＯＡ制御部２５は、モニタ情報の収得および、ＶＯＡ１７の制御を実施せずに、ステップ３００へ戻る。ステップ３０１でＮＯのとき、ＶＯＡ制御部２５は、システムＰＤからモニタ情報を収得し、モニタ情報に基付くＶＯＡ１７を制御して（Ｓ３０２）、ステップ３００へ戻る。
【００３５】
実施例２の光伝送装置によれば、監視光のＮｘ１ ＳＷの専用入力ポートが必要になることおよび、ＶＯＡ制御部２５の制御は複雑になるが、監視光λｋ挿入ためのＯＣ１０７および、監視光λｋのみ遮断する光Ｆｉｌｔｅｒ１１０の実装が不要となるため、装置の実装面では、実施例１と比べ単純化できる。逆に、ＶＯＡ制御部２５は、監視光を挿入したチャンネルの補償が不要になる。
【実施例３】
【００３６】
実施例３は、監視光の光強度をＮｘ１ ＳＷ１００の故障監視情報として使用する光伝送装置を説明する。
図１０を参照して、実施例３の光伝送装置を説明する。なお、図３および図８に示された同一の符号を付された構成と、同一の機能を有する部分については、説明を省略する。
【００３７】
図１０において、監視光ＬＤ１０５は、Ｎｘ１ ＳＷ１００の動作異常を検出するため、システムのモニタ用の光信号の光強度より高い光強度の監視光を出力する。実施例３では、監視光の情報として光強度を使用するため、監視光の光波長帯は、システムの光信号と同波長帯の光信号でも良い。したがって、実施例１および２の構成のように、監視光ＰＤ１０６の前段に監視光のみ通過させる光Ｆｉｌｔｅｒ１０９が必要なくなる。
【００３８】
なお、Ｎｘ１ ＳＷ切替制御部１０１、Ｎｘ１ ＳＷ正常性判定部１０２の動作は、実施例１と同様のため、説明を省略する。また、ＶＯＡ制御部２５の動作について、実施例２と同様のため、説明を省略する。
【００３９】
実施例３では、監視光の光強度を用いてＮｘ１ ＳＷ１００の動作異常を検出するため、監視光検出部１０３Ａの動作が、実施例１および２と異なる。以下、監視光検出部１０３Ａの動作について、図１０および、図１１を参照して、説明する。
【００４０】
図１０において、監視光は、システムの光信号と同じ光波長帯のため、監視光ＰＤ１０６の前段に光Ｆｉｌｔｅｒを実装しない。したがって、Ｎｘ１ ＳＷ１００がどの入力ポート選択しても、光信号が、監視光ＰＤ１０６に到達する。監視光ＰＤ１０６は、光信号を電気信号に変換して、光信号レベル情報として、監視光検出部１０３Ａに出力する。
【００４１】
図１１において、監視光検出部１０３Ａは、監視光ＰＤ１０６から入力された光信号レベルを、監視光の検出閾値と比較する。光信号レベルが、監視光の検出閾値より高い場合、監視光検出部１０３Ａは、監視光検出有りと判定する。光信号レベルが、監視光の検出閾値より低い場合、監視光検出部１０３Ａは、監視光検出無しと判定する。監視光検出部１０３Ａは、判定結果をＮｘ１ ＳＷ正常性判定部１０２に出力する。
【００４２】
実施例３の光伝送装置によれば、高い出力光パワーの監視光ＬＤ１０５が必要になることおよび、監視光検出部１０３Ａにおける監視光の検出閾値が必要となる。しかし、監視光λｋのみ通過させる光Ｆｉｌｔｅｒ１０９の実装が不要となるため、装置の実装面では、実施例１および２と比べ単純化できる。
【実施例４】
【００４３】
実施例４は、監視光の光強度をＮｘ１ ＳＷ１００の故障監視情報として使用し、システムＰＤを監視光ＰＤとしても兼用する光伝送装置を説明する。
【００４４】
図１２を参照して、実施例４の光伝送装置を説明する。なお、図１２において、既に説明した図３、図８および図１０に示された同一の符号を付されたブロックは、説明を省略する。
【００４５】
実施例４は、システムＰＤ１０４を監視光ＰＤとして兼用すること以外は、実施例３と同様な構成および制御となっている。したがって、Ｎｘ１ ＳＷ切替制御部１０１、Ｎｘ１ ＳＷ正常性判定部１０２、ＶＯＡ制御部２５、監視光検出部１０３の動作について、実施例３と同様のため、説明を省略する。
【００４６】
実施例４の光伝送装置によれば、システムＰＤ１０４を監視光ＰＤとして兼用することにより、Ｎｘ１ ＳＷ１００の出力光信号を分岐するＯＣ１０８および、監視光ＰＤ１０６が不要となるため、装置の実装面では、実施例１および３と比べ単純化できる。
【符号の説明】
【００４７】
１１…光伝送装置、１２…装置制御部、１３…Ｃｌｉｅｎｔ  Ｉｎｔｅｒｆａｃｅ、１４…Ｃｌｉｅｎｔ  Ｎｅｔｗｏｒｋ、１５…ＤＥＭＵＸ、１６…ＭＵＸ、１７…ＶＯＡ（Ｖａｒｉａｂｌｅ  Ｏｐｔｉｃａｌ  Ａｔｔｅｎｕａｔｏｒ）、１８…光波長信号分岐ＯＣ（Ｏｐｔｉｃａｌ  Ｃｏｕｐｌｅｒ）、２１…モニタ部、２５…ＶＯＡ制御部、１００…Ｎｘ１  ＳＷ、１０１…Ｎｘ１  ＳＷ切替制御部、１０２…Ｎｘ１  ＳＷ正常性判定部、１０３…監視光検出部、１０４…システムＰＤ（Ｐｈｏｔｏ  Ｄｉｏｄｅ）、１０５…監視光ＬＤ（Ｌａｓｅｒ  Ｄｉｏｄｅ）、１０６…監視光ＰＤ、１０７…監視光挿入用ＯＣ、１０８…監視光分岐用ＯＣ、１０９…光Ｆｉｌｔｅｒ、１１０…光Ｆｉｌｔｅｒ。
【図１】
2012227838.tif 000003
【図２】
2012227838.tif 000004
【図３】
2012227838.tif 000005
【図４】
2012227838.tif 000006
【図５】
2012227838.tif 000007
【図６】
2012227838.tif 000008
【図７】
2012227838.tif 000009
【図８】
2012227838.tif 000010
【図９】
2012227838.tif 000011
【図１０】
2012227838.tif 000012
【図１１】
2012227838.tif 000013
【図１２】
2012227838.tif 000014